(57)【要約】【課題】外障子と内障子とを備えることに起因した防火性の低下を防止する。【解決手段】縦枠１３において内障子３０よりも室外側となる部位には枠用補強部材１４０を配設し、枠用基板部１４１の見込み面及び枠用突出板部１４２の室内側に向いた見付け面に加熱膨張材１１４を配設するとともに、縦枠１３において外障子２０の下框２２の端面に対向する部位には召合用補強部材１５０を配設し、召合用基板部１５１の見込み面、召合用突出板部１５２の室外側に向いた見付け面及び召合用封止部１５３の外障子２０に対向した見込み面に加熱膨張材１１５を配設した。【選択図】図５
2014070403.tif 000002
【特許請求の範囲】
【請求項１】
開口枠を構成する一対の支持枠の間に内方側の内障子及び外方側の外障子を備える建具において、
前記一対の支持枠において前記開口枠を閉じた場合に前記内障子よりも外方側となる部位には、前記支持枠の見込み面に沿って配置される枠用基板部と、前記枠用基板部の外方側に位置する縁部から突出するように屈曲した枠用突出板部とを有する枠用補強部材を配設し、さらに前記枠用基板部の見込み面及び前記枠用突出板部の内方側に向いた見付け面にそれぞれ加熱膨張材を配設するとともに、
前記一対の支持枠において前記開口枠を閉じた場合に外障子の召し合わせ框の端面に対向する部位には、前記支持枠の見込み面に沿って配置される召合用基板部と、前記召合用基板部の内方側に位置する縁部から突出するように屈曲した召合用突出板部と、前記召合用突出板部の突出端部から外方側に向けて屈曲した召合用封止部とを有する召合用補強部材を配設し、前記召合用基板部の見込み面、前記召合用突出板部の外方側に向いた見付け面及び前記召合用封止部の障子に対向した見込み面にそれぞれ加熱膨張材を配設した
ことを特徴とする建具。
【請求項２】
前記一対の支持枠において前記開口枠を閉じた場合に前記支持枠に対して平行に配置される外障子の支持框に対向する部位には、前記支持枠の見込み面に加熱膨張材を配設したことを特徴とする請求項１に記載の建具。
【請求項３】
前記枠用補強部材の枠用突出板部及び前記召合用補強部材の召合用突出板部は、前記支持枠の見込み面から突出した支持ヒレ部に支持させたことを特徴とする請求項１に記載の建具。
【請求項４】
前記枠用補強部材の枠用基板部と前記召合用補強部材の召合用基板部とを重ね合わせて前記支持枠に取り付けたことを特徴とする請求項１に記載の建具。
【請求項５】
前記召合用補強部材の召合用封止部は、見込み方向の寸法が前記召合用基板部より小さく構成してあり、外障子の召し合わせ框において内障子の召し合わせ框との接合部を覆う位置に配設したことを特徴とする請求項１に記載の建具。
【発明の詳細な説明】
【技術分野】
【０００１】
本発明は、建具に関するもので、引き違い窓や片引き窓等のように外障子と内障子とを備えた建具に関する。
【背景技術】
【０００２】
昨今の建具には、より高い防火性が要求されている。例えば特許文献１に記載された建具では、中空状に構成した枠の内部に鋼製の補強部材を配設し、かつこの補強部材において障子の框に対向する部位に熱膨張性を有した耐火材を配設するようにしている。この建具によれば、火災等により火炎に曝されて枠に孔があいた場合、耐火材が熱膨張して膨出し、枠と障子の框との間の隙間が埋められることになり、火炎や煙の通過を阻止することができるようになる。
【先行技術文献】
【特許文献】
【０００３】
【特許文献１】特開２００５−３５１００９号公報
【発明の概要】
【発明が解決しようとする課題】
【０００４】
ところで、火災等によって建具が高温状態となった場合、障子の面材には面方向に沿って熱膨張（熱伸び）が生じることになる。ここで、引き違い窓や片引き窓等のように、室外側に配置される外障子と室内側に配置される内障子とを備える建具では、召し合わせ框がクレセントによって相互に施錠された状態にあり、面材の熱伸びが互いに制限されるため、外障子の召し合わせ框にねじれや湾曲状の変形を来すことになる。この結果、召し合わせ框の端部と開口枠の縦枠（支持枠）との間に貫通口が生じ、貫通口を通じて室内外に火炎や煙が吹き抜けるという問題が起こる恐れがある。
【０００５】
また、縦枠において外障子が配置される部分については、開口枠を閉じた場合に外障子によって覆われるため、外部に露出することはない。しかしながら、縦枠において内障子よりも外方側となる部分については、開口枠を閉じた際にも外部に露出した状態となる。従って、室外側から火災が発生した場合には、この縦枠において外部に露出した部分が直接火炎の高熱に曝されることになり、貫通口が生じる恐れがある。
【０００６】
本発明は、上記実情に鑑みて、外障子と内障子とを備えることに起因した防火性の低下を防止することのできる建具を提供することを目的とする。
【課題を解決するための手段】
【０００７】
上記目的を達成するため、本発明に係る建具は、開口枠を構成する一対の支持枠の間に内方側の内障子及び外方側の外障子を備える建具において、前記一対の支持枠において前記開口枠を閉じた場合に前記内障子よりも外方側となる部位には、前記支持枠の見込み面に沿って配置される枠用基板部と、前記枠用基板部の外方側に位置する縁部から突出するように屈曲した枠用突出板部とを有する枠用補強部材を配設し、さらに前記枠用基板部の見込み面及び前記枠用突出板部の内方側に向いた見付け面にそれぞれ加熱膨張材を配設するとともに、前記一対の支持枠において前記開口枠を閉じた場合に外障子の召し合わせ框の端面に対向する部位には、前記支持枠の見込み面に沿って配置される召合用基板部と、前記召合用基板部の内方側に位置する縁部から突出するように屈曲した召合用突出板部と、前記召合用突出板部の突出端部から外方側に向けて屈曲した召合用封止部とを有する召合用補強部材を配設し、前記召合用基板部の見込み面、前記召合用突出板部の外方側に向いた見付け面及び前記召合用封止部の障子に対向した見込み面にそれぞれ加熱膨張材を配設したことを特徴とする。
【０００８】
この発明によれば、枠用補強部材に配設した加熱膨張材の膨張により支持枠において開口枠を閉じた場合に内障子よりも外方側となる部位が覆われ、かつ召合用補強部材に配設した加熱膨張材の膨張により召し合わせ框の端部と開口枠の支持枠との間が覆われることになり、それぞれに貫通口が生じる事態を防止する。
【０００９】
また、本発明は、上述した建具において、前記一対の支持枠において前記開口枠を閉じた場合に前記支持枠に対して平行に配置される外障子の支持框に対向する部位には、前記支持枠の見込み面に加熱膨張材を配設したことを特徴とする。
【００１０】
この発明によれば、補強部材を要することなく支持枠に配設した加熱膨張材の膨張により開口枠の支持枠と障子の支持框との隙間を塞ぐことができる。
【００１１】
また、本発明は、上述した建具において、前記枠用補強部材の枠用突出板部及び前記召合用補強部材の召合用突出板部は、前記支持枠の見込み面から突出した支持ヒレ部に支持させたことを特徴とする。
【００１２】
この発明によれば、支持枠に対して枠用補強部材及び召合用補強部材の配設位置を正確に規定することができる。
【００１３】
また、本発明は、上述した建具において、前記枠用補強部材の枠用基板部と前記召合用補強部材の召合用基板部とを重ね合わせて前記支持枠に取り付けたことを特徴とする。
【００１４】
この発明によれば、枠用補強部材と召合用補強部材とが途切れることなく連続した状態で支持枠に設けられる。
【００１５】
また、本発明は、上述した建具において、前記召合用補強部材の召合用封止部は、見込み方向の寸法が前記召合用基板部より小さく構成してあり、外障子の召し合わせ框において内障子の召し合わせ框との接合部を覆う位置に配設したことを特徴とする。
【００１６】
この発明によれば、召合用封止部に配設した加熱膨張材の膨張により外障子の召し合わせ框と内障子の召し合わせ框との接合部を覆うことができる。
【発明の効果】
【００１７】
本発明によれば、枠用補強部材に配設した加熱膨張材の膨張により支持枠において開口枠を閉じた場合に内障子よりも外方側となる部位が覆われ、かつ召合用補強部材に配設した加熱膨張材の膨張により召し合わせ框の端部と開口枠の支持枠との間が覆われることになり、それぞれに貫通口が生じる事態を防止することができるため、防火性の低下を防止することができる。
【図面の簡単な説明】
【００１８】
【図１】図１は、本発明の実施の形態である建具を室外側から見た外観図である。
【図２】図２は、図１に示した建具の縦断面図である。
【図３】図３は、図１における３−３線断面図である。
【図４】図４は、図１における４−４線断面図である。
【図５】図５は、図１に示した建具の支持枠の見付け面を示した図である。
【図６】図６は、図１に示した建具の支持枠に配設する枠用補強部材の斜視図である。
【図７】図７は、図１に示した建具の支持枠に配設する召合用補強部材の斜視図である。
【発明を実施するための形態】
【００１９】
以下、添付図面を参照しながら本発明に係る建具の好適な実施の形態について詳細に説明する。図１〜図４は、本発明の実施の形態である建具を示したものである。ここで例示する建具は、開口枠１０の内部に２枚の障子２０，３０を備え、室外側の外障子２０を開口枠１０の上半部に固定した状態で配設するとともに、室内側の内障子３０を開口枠１０に対して上下にスライド可能に配設した片引き窓である。
【００２０】
開口枠１０は、図１に示すように、上枠１１、下枠１２、左右一対の縦枠１３を四周枠組みすることによって形成したものである。開口枠１０のそれぞれの枠１１，１２，１３は、アルミニウムやアルミニウム合金の押し出し型材によって一様な横断面形状を有するように成形してある。図には明示していないが、この開口枠１０は、建具を取り付ける壁体、例えば家屋の外壁に形成した開口に沿って取り付けられる。尚、本実施の形態で例示するように障子２０，３０が上下にスライドする建具の場合には左右の縦枠１３が支持枠となり、障子２０，３０が左右にスライドする建具の場合には上枠１１及び下枠１２が支持枠となる。
【００２１】
図１及び図２に示すように、外障子２０及び内障子３０は、それぞれ上框２１，３１、下框２２，３２、左右一対の縦框２３，３３を四周框組することによって形成した框の内部に面材２４，３４を配設して構成したものである。障子２０，３０のそれぞれの框２１，２２，２３、３１，３２，３３は、アルミニウムやアルミニウム合金の押し出し型材によって一様な横断面形状を有するように成形した金属成形部分と、金属成形部分の室内側に装着した合成樹脂製の樹脂成形部分とを備えた複合材として構成してある。本実施の形態では、框の内部に配設する面材２４，３４として、複層ガラスが適用してある。
【００２２】
これら開口枠１０、外障子２０、内障子３０は、固定した外障子２０の下框２２に対して内障子３０の上框３１を召しあわせの位置に配置した場合に、これら外障子２０及び内障子３０によって開口枠１０が閉じられるようにそれぞれの寸法が設定してある。外障子２０の下框２２と内障子３０の上框３１とが召しあわせの位置に配置された状態で内障子３０の上框３１に設けたクレセント３５を施錠操作すると、クレセント３５と外障子２０の下框２２に設けたクレセント受け２５とが係合された状態となり、外障子２０に対する内障子３０の上方への移動が阻止される。クレセント３５を開錠操作した場合には、クレセント３５とクレセント受け２５との係合状態が解除され、外障子２０に対して内障子３０を上方へ移動させることが可能となる。
【００２３】
障子２０，３０のそれぞれの框には、図２〜図４に示すように、面材補強部材１２０，１３０及び框補強部材１２２，１３２が配設してある。面材補強部材１２０，１３０は、框の金属成形部分を構成するアルミニウムやアルミニウム合金よりも融点の高い金属、例えばステンレスによって成形したもので、個々の框２１，２２，２３、３１，３２，３３において面材２４，３４に対向する見込み面と、面材２４，３４の周囲において室外側に向いた表面及び室内側に向いた表面との三方を覆うように構成してある。これら面材補強部材１２０，１３０には、面材２４，３４の見込み面に対向する部位に加熱膨張材１２１，１３１が配設してある。加熱膨張材１２１，１３１は、例えば膨張黒鉛のように、加熱された場合に膨張する耐火性の部材であり、シート状に成形したものを面材補強部材１２０，１３０に配設してある。框補強部材１２２，１３２は、面材補強部材１２０，１３０と同様、ステンレス等のように框の金属成形部分よりも融点の高い金属によって面材補強部材１２０，１３０よりも大きな板厚に成形したものである。本実施の形態では、障子２０，３０の縦框２３，３３に対しては外周側の見込み面を覆う位置に框補強部材１２２，１３２が配設してあり、上框３１及び下框２２，３２に対しては外周側の見込み面から室外側の見付け面に渡る位置に框補強部材１２２，１３２が配設してある。縦枠２３，３３に設けた框補強部材１２２，１３２には、外周側の見込み面に加熱膨張材１２１，１３１が配設してある。
【００２４】
一方、開口枠１０には、上枠１１に上枠補強部材１１０及び加熱膨張材１１１が配設してあるとともに、下枠１２に見付けヒレ部１２ａ及び加熱膨張材１１２が配設してある。上枠補強部材１１０は、ステンレス等のように框の金属成形部分よりも融点の高い金属によって成形したもので、外障子２０の上框２１に対向する位置に配設してある。上枠補強部材１１０の室外側に位置する縁部は、ほぼ直角に屈曲して上方に延在している。上枠１１の加熱膨張材１１１は、障子２０，３０に設けたものと同等のものであり、上枠補強部材１１０において外障子２０の上框２１に対向する面及び上枠１１の見付け面を構成する室外側壁１１ａの内面にそれぞれ配設してある。下枠１２の見付けヒレ部１２ａは、下枠１２の見込み面から上方に突出したヒレ状部分であり、見込み方向の位置が内障子３０の室外側に位置する見付け面とほぼ同じとなるように設けてある。下枠１２の加熱膨張材１１２は、障子２０，３０に設けたものと同等のものであり、内障子３０の下框３２に対向する部位及び見付けヒレ部１２ａの室内側に位置する見付け面にそれぞれ配設してある。
【００２５】
さらに、開口枠１０には、ステンレス等のように框の金属成形部分よりも融点の高い金属によって成形した枠用補強部材１４０及び召合用補強部材１５０が配設してある。
【００２６】
枠用補強部材１４０は、図３、図５、図６に示すように、縦枠１３の見込み面に沿って配置される枠用基板部１４１と、枠用基板部１４１の室外側に位置する縁部から突出するように屈曲した枠用突出板部１４２とを有した長尺状の部材であり、開口枠１０を閉じた場合に外障子２０よりも下方であって、内障子３０よりも室外側となる部位に配設してある。枠用基板部１４１及び枠用突出板部１４２には、互いに内方側となる面のほぼ全長に渡る部位にそれぞれ加熱膨張材１１４が配設してある。加熱膨張材１１４は、障子２０，３０に設けたものと同様、膨張黒鉛のように加熱された場合に膨張する耐火性の部材であり、シート状に成形してある。この枠用補強部材１４０は、枠用基板部１４１が縦枠１３の見込み面に取り付けてあり、かつ枠用突出板部１４２が縦枠１３の見込み面から突出した第１支持ヒレ部１３ａに取り付けてある。
【００２７】
召合用補強部材１５０は、図４、図５、図７に示すように、縦枠１３の見込み面に沿って配置される召合用基板部１５１と、召合用基板部１５１の室内側に位置する縁部から突出するように屈曲した召合用突出板部１５２と、召合用突出板部１５２の突出端部から外方側に向けて屈曲した召合用封止部１５３とを有したもので、開口枠１０を閉じた場合に外障子２０の下框２２の両端面に対向する部位にそれぞれ配設してある。召合用補強部材１５０の召合用基板部１５１は、下端部が枠用補強部材１４０の枠用基板部１４１と重ね合わせた状態で取り付けてあり、召合用補強部材１５０の召合用突出板部１５２は、縦枠１３の見込み面から突出した第２支持ヒレ部１３ｂに取り付けてある。召合用補強部材１５０の召合用封止部１５３は、見込み方向の寸法が召合用基板部１５１より小さく構成してあり、外障子２０の下框２２において内障子３０の上框３１との接合部を覆うように位置している。それぞれの召合用補強部材１５０には、召合用基板部１５１の見込み面、召合用突出板部１５２の室外側に向いた見付け面及び召合用封止部１５３の外障子２０に対向した見込み面にそれぞれ加熱膨張材１１５が配設してある。加熱膨張材１１５は、枠用補強部材１４０に設けたものと同等のものである。
【００２８】
尚、図には明示していないが、開口枠１０の縦枠１３には、開口枠１０を閉じた場合に外障子２０の縦框２３に対向する部位及び内障子３０の縦框３３に対向する部位にそれぞれ直接加熱膨張材が配設してある。
【００２９】
上記のように構成した建具では、外障子２０及び内障子３０の各框２１，２２，２３、３１，３２，３３に面材補強部材１２０，１３０、框補強部材１２２，１３２及び加熱膨張材１２１，１３１を配設し、かつ開口枠１０の枠と障子２０，３０の框との互いに対向する部位間に加熱膨張材を配設するようにしている。従って、火災等によって建具が高温状態となった場合には、これらの加熱膨張材１２１，１３１が膨張することによって開口枠１０と障子２０，３０との間や障子２０，３０自体に貫通口が生じる恐れがなく、室内外に火炎や煙が吹き抜ける事態を招来することもない。
【００３０】
ここで、上述の建具では、外障子２０の下框２２と内障子３０の上框３１とが召し合わせ框となるため、内障子３０を下げて開口枠１０を閉じた場合、縦枠１３において外障子２０よりも下方であって、内障子３０よりも室外側となる見込み面が外部に露出された状態となる。このため、室外側から火災が発生した場合には、この縦枠１３において外部に露出した部分が直接火炎の高熱に曝される恐れがある。
【００３１】
しかしながら、上述した建具によれば、縦枠１３の外部に露出した部分に枠用補強部材１４０を配設するとともに、枠用補強部材１４０の枠用基板部１４１及び枠用突出板部１４２にそれぞれ加熱膨張材１１４を配設してある。従って、建具が高温状態となると、枠用補強部材１４０に配設した加熱膨張材１１４が膨張することによって縦枠１３の見込み面が覆われることになり、以降の火炎からの高熱の影響を抑えることができるようになる。しかも、枠用補強部材１４０には、枠用基板部１４１及び枠用突出板部１４２の内方にそれぞれ加熱膨張材１１４を配設しているため、これらの加熱膨張材１１４が互いに接触するように膨張することになり、縦枠１３を確実に覆うことができる。これにより、縦枠１３において外部に露出していた見込み面が火炎によって直接高温状態となることがなくなり、貫通口が生じる恐れもなくなる。
【００３２】
また、上述した建具では、外障子２０の下框２２と内障子３０の上框３１との間がクレセント３５によって施錠された状態において、火災等により建具が高温状態となって面材２４，３４や縦框２３，３３に熱伸びが生じると、外障子２０の下框２２にねじれや湾曲状の変形を来し、外障子２０の下框２２の端部と縦枠１３との間に貫通口が生じる恐れがある。しかしながら、上述した建具によれば、召合用補強部材１５０に配設した加熱膨張材１１５の膨張により下框２２の端部と縦枠１３との間が覆われることになるため、下框２２にねじれや湾曲状の変形が生じたとしても縦枠１３との間に貫通口が生じる事態を防止することができる。
【００３３】
これらの結果、上述した建具によれば、火災が発生する等によって室外側から高温状態に曝された場合にも、室内外に火炎や煙が吹き抜ける貫通口が生じることはなく、防火性が低下する事態を招来する恐れもない。
【００３４】
尚、上述した実施の形態によれば、室内側の内障子３０を開口枠１０に対して上下にスライド可能に配設した片引き窓を例示しているが、本発明は内障子と外障子とを備える建具であれば、内障子及び外障子がそれぞれ上下にスライドする引き違い窓や内障子及び外障子がそれぞれ左右にスライドする引き違い窓等、その他の建具にも適用することが可能である。
【符号の説明】
【００３５】
１０      開口枠
１３      縦枠（支持枠）
１３ａ      第１支持ヒレ部
１３ｂ      第２支持ヒレ部
２０      外障子
２２      下框
３０      内障子
３１      上框
１１０      上枠補強部材
１１１，１１２，１１４，１１５，１２１，１３１      加熱膨張材
１４０      枠用補強部材
１４１      枠用基板部
１４２      枠用突出板部
１５０      召合用補強部材
１５１      召合用基板部
１５２      召合用突出板部
１５３      召合用封止部
【図１】
2014070403.tif 000003
【図２】
2014070403.tif 000004
【図３】
2014070403.tif 000005
【図４】
2014070403.tif 000006
【図５】
2014070403.tif 000007
【図６】
2014070403.tif 000008
【図７】
2014070403.tif 000009